(57)【要約】【課題】従来のクラスプに用いるセーフティー補助フックよりも構成する部品点数を少なくして製造コストを下げるとともにクラスプ体内に補助フックを設けてクラスプ全体がすっきりした美しさと、確実な補助フックの機能をも兼ね備えた装身用クラスプの製造方法を提供する。【解決手段】上蓋部材を製造する工程と、下蓋部材を製造する工程と、連結部材を製造する工程とを、プレス加工またはロストワックス鋳造法のいずれかを用いて製造するとともに上蓋部材に下蓋部材を組み込む工程と、該組み込んだ下蓋部材と連結部材を組み込む工程とからなり、プレス加工にて形成した上蓋部材に補助フック部を取り付ける工程にてなる装身用クラスプの製造方法である。【選択図】図２
2007054156.tif 000002
【特許請求の範囲】
【請求項１】
上蓋部材と、下蓋部材と、連結部材からなる構成にて装身具の一端に取り付けられる装飾用クラスプであって、該クラスプの上蓋部材は、一端に舌状部を、他端に第１蝶番部を設けるとともに前記舌状部と第１蝶番部との間に補助フック部とを前記下蓋部と対向する裏面に設けて形成、
下蓋部材は、一端に前記上蓋部の第１蝶番部が嵌り込んで回動可能に蝶着される第２蝶番部と他端に第３蝶番部とを設けて形成、
連結部材は、前記下蓋部の第３蝶番部に挿通する枢軸ピンを設けて形成、
前記上蓋部材を第１蝶番部と第２蝶番部に挿通した枢軸ピンを枢軸として該上蓋部材を回動して該上蓋部材の裏面と下蓋部材の背面を対向に位置させ当該上蓋部材を押し込むことにより該上蓋部材の一端に設けた舌状部が前記下蓋部材の他端に設けた第３蝶番部の外周部分と嵌合して被把持部材を把持し、該把持状態より上蓋部材の舌状部と下蓋部材の第３蝶番部が不嵌合となった場合は、前記上蓋部材に設けた補助フック部にて被把持部材を把持することを特徴する装身用クラスプ。
【請求項２】
請求項１記載の装身用クラスプにおいて、上蓋部材を製造する工程と、下蓋部材を製造する工程と、連結部材を製造する工程とを、プレス加工またはロストワックス鋳造法のいずれかを用いて製造するとともに上蓋部材に下蓋部材を組み込む工程と、該組み込んだ下蓋部材と連結部材を組み込む工程とからなり、プレス加工にて形成した上蓋部材に補助フック部を取り付ける工程にてなることを特徴とする装身用クラスプの製造方法。
【発明の詳細な説明】
【技術分野】
【０００１】
本発明は、不意に装着中の装身具が外れ落ちないようにセーフティー補助フック部を内部に設けた装身用クラスプとその製造方法に関するものである。
【背景技術】
【０００２】
従来、環体を連結し捻りを入れ扁平形状に形成したチェーンにクラスプを取り付けたネックレス、ブレスレット等は、着用時にクラスプの嵌合が不嵌合となり身体より外れ落ちることを防止する機構として、ひょうたん形の補助フックをクラスプの外側に設けてネックレス、ブレスレット等が装着中に安易に外れ落ちないようにした中折れクラスプが多く用いられている（例えば、非特許文献１参照。）。
【０００３】
また、一端に第１の蝶番部を有し他端に係止部と第２の蝶番部とを有する表蓋部材と、一端が前記表蓋部材の第１の蝶番部に回動可能に蝶着され他端に該表蓋部材の係止部に弾撥的に押入可能な押入部を有し、かつ前記蝶着された端部と押入部との間の外側面に突起部を有する裏蓋部材と、一端が前記表蓋部材の第２の蝶番部に回動可能に蝶着され他端との間に前記裏蓋部材の突起部を弾撥的に嵌入可能な透孔を有する留め蓋部材とからなる装飾用クラスプがある（例えば、特許文献１参照。）。
【０００４】
しかし、貴金属製のクラスプとした場合は、財務省造幣局品位検定基準に合致させるには補助フックも同種の貴金属地金を用いる必要があり、例えば、品位がＰｔ１０００のクラスプには同じ品位のＰｔ１０００の補助フックを用いる必要があり、また、品位がＫ２４のクラスプには同じ品位のＫ２４の補助フックを用いる必要があり、前者の補助フックのビッカース硬度は５０Ｈｖ、後者のビッカース硬度は４０Ｈｖと柔らかく何らかの負荷がかかった場合には変形して外れ易くなり頻繁に形状修正をする必要があり補助フックとしての機能は劣る欠点があった。
【０００５】
また、補助フックはクラスプの側面等、外側に取り付けるために着用中に衣服等にひっかかる欠点、さらには当該補助フックにてクラスプ全体の美感を損なう問題もあり、新たな補助フック機構を有する装飾用クラスプの開発が望まれている。
【０００６】
【非特許文献１】砂川一郎，「ジュエリーコーディネーター検定３級」，２００２年９月，ｐ.１９９
【特許文献１】特開平０８−１００１６号公報
【発明の開示】
【発明が解決しようとする課題】
【０００７】
本発明は上記を鑑み解決しようとする問題点は、従来クラスプに用いる補助フックよりも構成する部品点数を少なくして製造コストを下げるとともに補助フックをクラスプ体内に設けてクラスプ全体がすっきりした美しさと確実な補助フックの機能をも兼ね備えた装身用クラスプとその製造方法を提供することを目的としたものである。
【課題を解決するための手段】
【０００８】
前記目的を達成するために、請求項１に係る発明の装飾用クラスプは、上蓋部材と、下蓋部材と、連結部材からなる構成にて装身具の一端に取り付けられる装身用クラスプであって、該クラスプの上蓋部材は、一端に舌状部を、他端に第１蝶番部を設けるとともに前記舌状部と第１蝶番部との間に補助フック部とを前記下蓋部と対向する裏面に設けて形成、下蓋部材は、一端に前記上蓋部の第１蝶番部が嵌り込んで回動可能に蝶着される第２蝶番部と他端に第３蝶番部とを設けて形成、連結部材は、前記下蓋部の第３蝶番部に挿通する枢軸ピンを設けて形成、前記上蓋部材を第１蝶番部と第２蝶番部に挿通した枢軸ピンを枢軸として該上蓋部材を回動して該上蓋部材の裏面と下蓋部材の背面を対向に位置させ当該上蓋部材を押し込むことにより該上蓋部材の一端に設けた舌状部が前記下蓋部材の他端に設けた第３蝶番部の外周部分と嵌合して被把持部材を把持し、該把持状態より上蓋部材の舌状部と下蓋部材の第３蝶番部が不嵌合となった場合は、前記上蓋部材に設けた補助フック部にて被把持部材を把持することを特徴としたものである。
【０００９】
また、請求項２に係る発明は、請求項１記載の装身用クラスプにおいて、上蓋部材を製造する工程と、下蓋部材を製造する工程と、連結部材を製造する工程とを、プレス加工またはロストワックス鋳造法のいずれかを用いて製造するとともに上蓋部材に下蓋部材を組み込む工程と、該組み込んだ下蓋部材と連結部材を組み込む工程とからなり、プレス加工にて形成した上蓋部材に補助フック部を取り付ける工程にてなる装身用クラスプの製造方法としたものである。
【発明の効果】
【００１０】
請求項１に係る発明の装身用クラスプの上蓋部材は、一端に舌状部を、他端に第１蝶番部を設けるとともに前記舌状部と第１蝶番部の間に補助フック部とを前記舌蓋部と対向する裏面に設けて形成したことにより、クラスプ全体がすっきりしたことにより美感をそなえるとともに着用中に衣服等にひっかかる欠点を解消した。
【００１１】
また、上蓋部材の一端に設けた舌状部が下蓋部材の他端に設けた第３蝶番部の外周部分と嵌合して被把持部材を把持し、該把持状態より前記上蓋部材と前記下蓋部材が不嵌合となった場合は、前記上蓋部材に設けた補助フック部にて被把持部材を把持することにより、確実な補助フックの機能を兼ね備えた商品の提供が可能となった。
【００１２】
また、請求項２に係る発明のような装身用クラスプの製造方法としたことにより、財務省造幣局品位検定基準に合致可能とするとともに従来クラスプに用いた補助フックよりも構成する部品点数が少なく低コストにて製造することができる。
【発明を実施するための最良の形態】
【００１３】
以下本発明の実施例を図面に基づいて詳細に説明する。
実施にあたって、本発明の装身用クラスプ３０と対比するために非特許文献と同じ中折れクラスプの形状を用いて図示したものであるから各部材形状は限定するものではなく取り付ける装身具に合わせた形状とすることができる。
【００１４】
図１は、請求項１の装身用クラスプ３０の各部材をプレス加工にて成型し形成した実施例を斜視図で示し、上蓋部材１と、下蓋部材６と、連結部材１０とからなる構成にて装身具の一端に取り付けられる装身用クラスプ３０であって、該クラスプの上蓋部材１は、一端に舌状部２を、他端に第１蝶番部４、４Ａを対向するように設けるとともに舌状部２と第１蝶番部４との間に補助フック部３とを下蓋部６と対向する裏面９に設けて形成、下蓋部材６は、一端に上蓋部１の第１蝶番部４、４Ａが嵌り込んで枢軸ピン２１ａを挿通して回動可能に蝶着される第２蝶番部７と、他端に第３蝶番部８とを設けて形成、連結部材１０は、下蓋部６の第３蝶番部８に挿通する枢軸ピン２１を設けて形成し構成させたものである。
【００１５】
図２は、請求項２に係る発明のプレス加工による製造方法を、装身用クラスプ３０を構成する部材を示す図を用いて説明する。
上蓋部材１は、上蓋部材１となる抜き加工にてＴ字形状の板部材を製造する工程と、該板部材の一端及び他端を垂直に立ち上がるように曲げ加工を施して舌状部２と、第１蝶番部４、４Ａを設ける工程と、舌状部２を二次加工にて成型する工程と、第１蝶番部４、４Ａに枢軸ピン２１ａを挿通する貫通孔を設ける工程とにより形成した。
【００１６】
補助フック部３は、補助フック部３となる抜き加工にて矩形の板部材を製造する工程と、該板部材の一端をＣ字状に湾曲させる曲げ加工を施す工程とにより形成した。
【００１７】
下蓋部材６は、下蓋部材６となる抜き加工にて一端の左右を切り欠いた板部材を製造する工程と、該板部材の一端及び他端を背面９に立ち上がるように丸める曲げ加工を施した第２蝶番部７と、他端に第３蝶番部８とを設ける工程とにより形成した。
【００１８】
連結部材１０は、連結部材１０となる抜き加工にて矩形の板部材を製造する工程と、該板部材の両端を垂直に立ち上がるようにコの字状に曲げ加工を施す工程と、該コの字の
両端に枢軸ピン２１を挿通する貫通孔を設ける工程とにより形成した。
【００１９】
そして、上記プレス加工にて製造した上蓋部材１、補助フック部３、下蓋部材６、連結部材１０を用いて上蓋部材１に下蓋部材６を、第１蝶番部４、４Ａに枢軸ピン２１ａを挿通して組み込む工程と、該組み込んだ下蓋部材６に連結部材１０を、枢軸ピン２１ａを挿通して組み込む工程と、上蓋部材１の裏面５にロー付け等により補助フック部３を取り付ける工程とにより装身用クラスプ３０を形成させることができる。
【００２０】
図３は、請求項２に係る発明のロストワックス鋳造法による製造方法を、装身用クラスプ３０ａを構成する部材を示す図を用いて説明する。
一端に舌状部２を、他端に枢軸ピン２１Ａａを挿通する貫通孔を有した第１蝶番部４ａ、４Ａａを垂直に立ち上がらせて設けるとともに舌状部２と第１蝶番部４ａ、４Ａａとの間に補助フック部３ａを設けた上蓋部材１ａを製造する工程と、
一端に第２蝶番部７ａを、他端に第３蝶番部８ａを背面９ａに立ち上がるように設けた下蓋部材６ａを製造する工程と、
コの字形状にて枢軸ピン２１ａを挿通する貫通孔を有した連結部材１０ａを製造する工程とにより形成した。
【００２１】
そして、上記ロストワックス鋳造法にて製造した上蓋部材１ａ、補助フック部３ａ、下蓋部材６ａ、連結部材１０ａを用いて上蓋部材１ａに下蓋部材６ａを、第１蝶番部４ａ、４Ａａに枢軸ピン２１ａを挿通して組み込む工程と、該組み込んだ下蓋部材６ａと連結部材１０ａを、枢軸ピン２１ａを挿通して組み込む工程とにより装身用クラスプ３０ａを形成させることができる。
【００２２】
図４は、図３の部材を用いて装身用クラスプ３０ａを形成し、上蓋部材１ａを、枢軸ピン２１Ａａを枢軸として上蓋部材１ａを回動して上蓋部材１ａの裏面５ａと下蓋部材６ａの背面９ａを対向に位置させ上蓋部材１ａを押し込むことにより上蓋部材１ａの一端に設けた舌状部２ａが下蓋部材６ａの他端に設けた第３蝶番部８ａの外周部分と嵌合して被把持部材２０ａを把持した状態を示す。
【００２３】
図５（Ａ）は、  図４に示したＡ−Ａ線断面図を示し、図５（Ｂ）は、被把持部材２０ａを把持した状態より上蓋部材１ａの舌状部２ａと下蓋部材６ａの第３蝶番部８ａが不意に不嵌合となった場合を示し、上蓋部材１ａに設けた補助フック部３ａにて被把持部材２０ａを把持するセーフティー補助フック部を有する装身用クラスプ３０ａの提供を可能とした。
【００２４】
以上、本発明の装身用クラスプの構成及び製造方法を説明したが、プレス加工を用いた製造方法の装身用クラスプ３０及びロストワックス鋳造法を用いた装身用クラスプ３０ａの各利点として、貴金属地金でビッカース硬度が低い品位がＫ２４、Ｐｔ１０００、Ｐｔ９５０、Ｐｔ９００はプレス加工を用いることにより加工硬化を得ることができる利点があり、また、ロストワックス鋳造法を用いた製造方法は品位がＫ１８、Ｐｔ８５０にて大きさが小さいクラスプの製造に向く利点があり、それぞれの利点を踏まえて各部材をプレス加工またはロストワックス鋳造法のいずれかを用いて構成させることにより品質の安定した商品の製造ができる。
【図面の簡単な説明】
【００２５】
【図１】本発明の装身用クラスプの各部材をプレス加工にて成型し形成した実施例を示す斜視図である。
【図２】図１の装身用クラスプを構成する部材を示す図である。
【図３】本発明の装身用クラスプをロストワックス製造法（キャスト）にて部材を形成して構成する部材を示す図である。
【図４】図３の部材を用いて装身用クラスプ形成した実施例を示す斜視図である。
【図５】図４に示したＡ−Ａ線断面図である。
【符号の説明】
【００２６】
１    上蓋部材
２    舌状部
３    補助フック部
４    第１蝶番部
５    裏面
６    下蓋部材
７    第２蝶番部
８    第３蝶番部
９    背面
１０    連結部材
２０    被把持部材
２１    枢軸ピン
３０    装身用クラスプ
【図１】
2007054156.tif 000003
【図２】
2007054156.tif 000004
【図３】
2007054156.tif 000005
【図４】
2007054156.tif 000006
【図５】
2007054156.tif 000007